(57)【特許請求の範囲】
【請求項１】
自動二輪車Ｂを全長にわたって載置可能な底幕部１と、この底幕部１の周囲に連続して形成され、この底幕部１上に載置した自動二輪車Ｂを内側に包み込む包囲幕部２とからなる可撓性シート製の自動二輪車用カバーであって、前記包囲幕部２に、底幕部１上に自動二輪車Ｂを載置したとき、この自動二輪車Ｂの上方位置から自動二輪車Ｂの幅方向両側に向かって伸びてその自動二輪車Ｂの後端下部にかけて連続し且つその後端下部で繋がる切込部４を設け、この切込部４により形成される開口部をファスナー５によって開閉可能として、そのファスナー５を開放した状態において前記切込部４上側の包囲幕部２ａを前記後端下部から前記上方位置へ向かってまくり上げることができるようにした自動二輪車用カバー。
【請求項２】
自動二輪車Ｂを全長にわたって載置可能な底幕部１と、この底幕部１の周囲に連続して形成され、この底幕部１上に載置した自動二輪車Ｂを内側に包み込む包囲幕部２とからなる可撓性シート製の自動二輪車用カバーであって、前記包囲幕部２に、底幕部１上に自動二輪車Ｂを載置したとき、この自動二輪車Ｂの上方位置から自動二輪車Ｂの幅方向両側に向かって伸びてその自動二輪車Ｂの前端下部にかけて連続し且つその前端下部で繋がる切込部４を設け、この切込部４により形成される開口部をファスナー５によって開閉可能として、そのファスナー５を開放した状態において前記切込部４上側の包囲幕部２ａを前記前端下部から前記上方位置へ向かってまくり上げることができるようにした自動二輪車用カバー。
【発明の詳細な説明】
【０００１】
【発明の属する技術分野】
この発明は、主として機関排気量が７５０ｃｃを超えるような大型バイクとよばれる自動二輪車を、長期間保管するために使用する自動二輪車用カバーに関するものである。
【０００２】
【従来の技術】
通常、この種の自動二輪車は、機関排気量が４００ｃｃや２５０ｃｃ、あるいはそれ以下といった中型や小型のものに比べて使用頻度が少ないので、保管をするのに雨よけの可撓性シート材などを上から被せたぐらいでは、湿気や冷気で自動二輪車が傷んでしまうことがある。このため、図１０に示すようなカバーが広く使用されている。
【０００３】
このカバーは、可撓性シート材を底幕部１１と包囲幕部１２とに形成した構成となっており、底幕部１１上に全長にわたって載置された自動二輪車Ｂが、包囲幕部１２の内側に包み込んだ状態で収容されるようになっている。そして、包囲幕部１２の下端位置で底幕部１１に沿って設けられたファスナー１３を閉めることにより、自動二輪車Ｂが閉塞された状態で保管できるようにしてある。
【０００４】
【発明が解決しようとする課題】
しかしながら、このようなカバーは、保管する自動二輪車のサイズが大きいため、ファスナーがほぼ全開された状態からでは包囲幕部を自動二輪車に被せにくく、被せるのに手間がかかるという問題や、ファスナーが包囲幕部の下端位置に設けられているため、使用者はかがんだ姿勢のままでファスナーを操作しなければならず、使いにくいという問題がある。
【０００５】
そこで、この発明の課題は、被せやすく、ファスナーの開閉もしやすい自動二輪車用カバーを得ることにある。
【０００６】
【課題を解決するための手段】
こうした課題を解決するため、この発明では、自動二輪車を全長にわたって載置可能な底幕部と、この底幕部の周囲に連続して形成され、この底幕部上に載置した自動二輪車を内側に包み込む包囲幕部とからなる可撓性シート製の自動二輪車用カバーであって、前記包囲幕部に、底幕部上に自動二輪車を載置したとき、この自動二輪車の上方位置から両側に自動二輪車の後端下部にかけて連続する切込部を設け、この切込部により形成される開口部をファスナーによって開閉可能とした構成を、自動二輪車用カバーに採用したのである。
【０００７】
このような自動二輪車用カバーは、保管される自動二輪車の載置面上に前記底幕部を置いた後、前記ファスナーを開くと、包囲幕部が前記切込部から上下に分かれる。この上下に分かれた包囲幕部の上側をまくり上げて前方に退避させると、前記分かれた下側の包囲幕部に、上面が開口した袋部が形成される。この袋部に包囲幕部の後方から自動二輪車を進入させると、前記袋部に形成された凹入部分に自動二輪車がスムーズに入り込み、この後、前記まくり上げた上側の包囲幕部をもとにもどす。このとき、上側の包囲幕部を自動二輪車の後方に引っ張ると、この上側の包囲幕部に自動二輪車の前方から後方にかけて徐々に深くなる凹入部分が形成され、自動二輪車前方のかぶせにくい位置ほど包囲幕部のかぶせ量が少なくてすむので、上側の包囲幕部を自動二輪車に簡単にかぶせることができる。そして、前記ファスナーを閉じることにより、底幕部上に載置した自動二輪車全体が包囲幕部内に収容されることとなる。
【０００８】
また、自動二輪車を全長にわたって載置可能な底幕部と、この底幕部の周囲に連続して形成され、この底幕部上に載置した自動二輪車を内側に包み込む包囲幕部とからなる可撓性シート製の自動二輪車用カバーであって、前記包囲幕部に、底幕部上に自動二輪車を載置したとき、この自動二輪車の上方位置から両側に自動二輪車の前端下部にかけて連続する切込部を設け、この切込部により形成される開口部をファスナーによって開閉可能としたものとしてもよい。
【０００９】
この場合には、上側の包囲幕部を後方に退避させた後、包囲幕部の前方から自動二輪車を後輪側から進入させることにより、同様に袋部内に自動二輪車をスムーズに収容できる。そして、前記上側の包囲幕部を自動二輪車の前方に引っ張って広げ、自動二輪車の上方からかぶせてファスナーを閉じることにより、自動二輪車を包囲幕部内に収容されることとなる。
【００１０】
【発明の実施の形態】
図１に示す自動二輪車用カバーは、撥水性を有する可撓性シートからなり、自動二輪車Ｂが載置される底幕部１と、この底幕部１の周囲に沿って設けられた包囲幕部２とを形成した構成となっている。
【００１１】
底幕部１は、自動二輪車Ｂを全長にわたって載置可能な大きさに形成されており、その中央部分には、設置状態の自動二輪車ＢのスタンドＳｔが載置される当て板３が取り付けられている。
【００１２】
包囲幕部２は、前記底幕部１に載置した自動二輪車Ｂを内側に包み込んで収容可能な大きさに形成されている。この包囲幕部２には、収容した自動二輪車Ｂの左右のハンドルＨの上方に位置する部分から自動二輪車Ｂの後端下部に至る切込部４が形成されている。この切込部４には、図２に示すように、その全長にわたってファスナー５が設けられており、このファスナー５は、切込部４の全長にわたって設けられた帯片６により、雨水などに直接さらされないようになっている。
【００１３】
この自動二輪車用カバーは、保管する自動二輪車Ｂの載置面上に前記底幕部１を置いた後、前記ファスナー５を開くと、包囲幕部２が前記切込部４から上下に分かれる。そして、図３に示すように、上側の包囲幕部２ａをまくり上げて前方に退避させると、下側の包囲幕部２ｂに、自動二輪車Ｂの左右それぞれのハンドルＨの上方位置から自動二輪車Ｂの後端下部にかけて上面が開口した袋部７が形成される。この袋部７に下側の包囲幕部２ｂの後方から自動二輪車Ｂを進入させると、図４に示すように、前記袋部７に形成された凹入部分に自動二輪車Ｂがスムーズに入り込む。
【００１４】
この後、図４に示すように、前記まくり上げた上側の包囲幕部２ａをもとにもどすことによって、包囲幕部２が底幕部１上に載置した自動二輪車Ｂを覆うこととなるが、このとき、上側の包囲幕部２ａを自動二輪車Ｂの後方に引っ張ると、この上側の包囲幕部２ａに自動二輪車Ｂの前方から後方にかけて徐々に深くなる凹入部分が形成され、自動二輪車Ｂ前方のかぶせにくい位置ほど包囲幕部２のかぶせ量が少なくてすむので、上側の包囲幕部２ａを自動二輪車Ｂに簡単にかぶせることができる。
【００１５】
そして、ファスナー５を閉じることによって、図５に示すように、自動二輪車Ｂが包囲幕部２内に閉塞した状態で保管される。
【００１６】
このように、この自動二輪車用カバーは、前記切込部４によって上下に分割した包囲幕部２に袋部７が形成され、この袋部７の開口一端が底幕部１上に載置した自動二輪車Ｂの上方に位置しているので、上側の包囲幕部２を簡単に自動二輪車Ｂにかぶせることができる。また、この袋部７内に自動二輪車Ｂを進入させると、自動二輪車Ｂが袋部７によって形成される凹入部分にスムーズに包囲幕部２内に入り込むので、自動二輪車Ｂの収容がしやすい。さらに、ファスナー５を開閉するときにも、かがんだ姿勢のまま操作しなくてよいので操作しやすい。また、底幕部１に当て板３を取り付けることにより、スタンドＳｔを下ろしたときであっても、底幕部１を傷めることがない。
【００１７】
図６に示す自動二輪車用カバーにあっては、前記切込部４は、収容状態における自動二輪車Ｂの座席Ｓｅの上方に位置する部分から自動二輪車Ｂの前端下部とを結ぶ軸線に沿って設けられており、この切込部４は、前記同様にファスナー５によって開閉可能に形成されている。
【００１８】
この自動二輪車用カバーを使用するには、保管する自動二輪車Ｂの載置面上に前記底幕部１を置いた後、前記と同様にファスナー５を開くと、包囲幕部２が前記切込部４から上下に分かれる。そして、図７に示すように、上側の包囲幕部２ａを後方に退避させた後、包囲幕部２の前方から自動二輪車Ｂを後輪側から進入させることにより、自動二輪車Ｂが袋部内にスムーズに収容される。
【００１９】
つぎに、図８に示すように、前記上側の包囲幕部２ａを自動二輪車Ｂの前方に引っ張ることにより、自動二輪車Ｂの後方から前方にかけて徐々に深くなる凹入部が、上側の包囲幕部２ａに下方に開口した状態で形成される。これにより、前記と同様に、上側の包囲幕部２ａを簡単にかぶせることができる。そして、上側の包囲幕部２ａを自動二輪車Ｂにかぶせてファスナー５を閉じることにより、自動二輪車Ｂが包囲幕部２内に収容されることとなる。
【００２０】
底幕部１の形状は、図９（ａ）に示すように、自動二輪車Ｂの進行方向に対して左右対称となるようにしてもよく、図９（ｂ）に示すように、スタンドＳｔを立てたとき、自動二輪車Ｂが傾斜する側へ膨出した形状としてもよい。また、前記自動二輪車Ｂの進行方向に沿ってガイド用のライン８を印刷によって設けるようにしてもよい。
【００２１】
【発明の効果】
以上説明したように、この発明に係る自動二輪車用カバーは、まくり上げた包囲幕部を、底幕部上に載置した自動二輪車にかぶせやすく、包囲幕部内にも自動二輪車を収容しやすいので、使用に際して手間がかからない。
【００２２】
また、ファスナーの開閉操作をかがんだ姿勢のまま行わなくてもよいので、使いやすいものとなる。
【図面の簡単な説明】
【図１】この発明に係る自動二輪車用カバーの使用状態を示す斜視図
【図２】図１のII−II線に沿った断面図
【図３】図１の自動二輪車用カバーの使用状態を示す後方よりの斜視図
【図４】図１の自動二輪車用カバーの底幕部に自動二輪車を載置した状態を示す説明図
【図５】同上の自動二輪車に包囲幕部を被せる状態を示す説明図
【図６】この発明に係る自動二輪車用カバーの他の実施例を示す斜視図
【図７】図６の自動二輪車用カバーの底幕部に自動二輪車を載置した状態を示す説明図
【図８】同上の自動二輪車に包囲幕部を被せる状態を示す説明図
【図９】（ａ）は、この発明に係る自動二輪車用カバーの底幕部の一実施例を示す平面図、（ｂ）は、同他の実施例を示す平面図
【図１０】従来の自動二輪車用カバーの使用状態を示す説明図
【符号の説明】
Ｂ  自動二輪車
Ｈ  ハンドル
Ｓｅ  座席
Ｓｔ  スタンド
１  底幕部
２  包囲幕部
３  当て板
４  切込部
５  ファスナー
６  帯片
７  袋部
８  ライン
１１  底幕部
１２  包囲幕部
１３  ファスナー
【図１】
0003819497.tif 000002
【図２】
0003819497.tif 000003
【図３】
0003819497.tif 000004
【図４】
0003819497.tif 000005
【図５】
0003819497.tif 000006
【図６】
0003819497.tif 000007
【図７】
0003819497.tif 000008
【図８】
0003819497.tif 000009
【図９】
0003819497.tif 000010
【図１０】
0003819497.tif 000011